(57)【特許請求の範囲】
【請求項１】
一対の相対する縦枠及び少なくとも上部の横枠を備えたスクリーン枠の両縦枠に、多数の平行で等間隔な折曲部において交互に逆方向に折曲することによりアコーディオン式に伸縮する一対のスクリーンの基端部がそれぞれ固定され、該スクリーンの先端部に開閉操作用の可動框がそれぞれ取り付けられ、該可動框を上記横枠に設けられたガイドレールに沿ってスライドさせることにより、上記スクリーンが伸縮して開閉される両開きスクリーン装置において、
上記ガイドレールが横枠と別体に形成され、
上記スクリーンの閉動作時に上記可動框が所定の召し合わせ位置を越えて移動するのを防止するためのストッパーが、上記横枠の召し合わせ位置に対応する箇所に取り付けられると共に、該ストッパーにより上記ガイドレールが上記横枠に対して取り付けられている、
ことを特徴とする両開きスクリーン装置。
【請求項２】
左右の可動框をガイドするそれぞれのガイドレールの縦枠側の端部が、左右の縦枠の上部における段部と横枠との間に挿入保持され、両ガイドレールにおける召し合わせ側の端部を上記ストッパーにより支持させた、
ことを特徴とする請求項１に記載の両開きスクリーン装置。
【請求項３】
上記ストッパーは、胴部の先端部両側にガイドレールの端部を受ける一対の突片が水平方向に突設され、胴部の先端に凸部が突設されて、該凸部及び胴部を貫通するねじにより横枠に固定され、上記突片の先端及び／または凸部の側面を可動框の当接面とした、
ことを特徴とする請求項１または２に記載の両開きスクリーン装置。
【発明の詳細な説明】
【０００１】
【発明の属する技術分野】
本発明は、建物開口部に防虫、遮光等を目的とするネット等のスクリーンをアコーディオン式に伸縮させて両開き可能に設置した両開きスクリーン装置に関する。
【０００２】
【従来の技術】
従来、この種の両開きスクリーン装置は、建物開口部に設けられた横引きの硝子窓や扉等に開閉方向を合わせて、その開口部に取り付けられたスクリーン枠に防虫等の目的でスクリーンが設置され、このスクリーンとして、交互に逆方向に折り返して多数のプリーツを施すことにより、アコーディオン式に折り畳み伸縮自在としたものを用い、そのスクリーンの左右一対を左右横方向に両開き可能とし、そして左右のスクリーンがスクリーン枠の中央位置で召し合わされ、全閉するようになったものが知られている。
しかしながら、上記のような両開きスクリーン装置では、スクリーンが召し合わせ位置を通過し、スクリーンの折り畳み部が展開し伸びきってしまうことで、スクリーンが破損したり、スクリーン枠より外れるという問題点があり、これを簡易な手段で防止することが望まれる。
【０００３】
一方、この種のスクリーン装置においては、その組立時、あるいは修理、部品交換等に際して、ガイドレールに沿ってスライドさせる可動框あるいはそれとスクリーンの上端を、該ガイドレールに対して容易に着脱できるようにすることが望まれ、従来からそのための各種構成が採用されているが、より簡単で特別の加工等を行うことなくそれを実現することが望まれている。
【０００４】
【発明が解決しようとする課題】
本発明が解決しようとする課題は、上記のような問題点に鑑みてなされたものであって、可動框が召し合わせ位置を通過するのを防止し、スクリーンが伸びきってしまうことを簡易な手段で回避できるようにした両開きスクリーン装置を提供することにある。
本発明の他の課題は、上記可動框が召し合わせ位置を通過するのを防止するための手段を有効に利用し、横枠からのガイドレールや可動框、スクリーンの着脱をも容易に行えるようにした両開きスクリーン装置を提供することにある。
【０００５】
【課題を解決するための手段】
上記課題を解決するため、本発明は、一対の相対する縦枠及び少なくとも上部の横枠を備えたスクリーン枠の両縦枠に、多数の平行で等間隔な折曲部において交互に逆方向に折曲することによりアコーディオン式に伸縮する一対のスクリーンの基端部がそれぞれ固定され、該スクリーンの先端部に開閉操作用の可動框がそれぞれ取り付けられ、該可動框を上記横枠に設けられたガイドレールに沿ってスライドさせることにより、上記スクリーンが伸縮して開閉される両開きスクリーン装置において、上記ガイドレールが横枠と別体に形成され、上記スクリーンの閉動作時に上記可動框が所定の召し合わせ位置を越えて移動するのを防止するためのストッパーが、上記横枠の召し合わせ位置に対応する箇所に取り付けられると共に、該ストッパーにより上記ガイドレールが上記横枠に対して取り付けられていることを特徴とするものである。
【０００６】
上記両開きスクリーン装置においては、左右の可動框をガイドする各ガイドレールの縦枠側の端部が、左右の縦枠の上部における段部と横枠との間に挿入保持され、両ガイドレールにおける召し合わせ側の端部を上記ストッパーにより支持させ、また、上記ストッパーは、胴部の先端部両側にガイドレールの端部を受ける一対の突片が水平方向に突設され、胴部の先端に凸部が突設されて、該凸部及び胴部を貫通するねじにより横枠に固定され、上記突片の先端及び／または凸部の側面を可動框の当接面とするのが適切である。
【０００７】
このように、本発明では、スクリーンの召し合わせ位置にストッパーが取り付けられたので、スクリーンの移動は、召し合わせ位置で確実に止められ、それ以上の移動が阻止され、スクリーンの折曲部が展開して伸びきって破損したりするのが回避される。
また、上記ストッパーは、横枠との間においてガイドレールを支持するようにして横枠に取り付けられるので、ガイドレールは、ストッパーを取り付けると同時に横枠に取り付けられ、そのため、横枠からのガイドレールや可動框、スクリーンの着脱が容易になるばかりでなく、スクリーン装置の組立工数の低減化、組立性の向上が図られる。
【０００８】
【発明の実施の形態】
以下に、本発明に係る両開きスクリーン装置の実施例を示す図１〜図５に基づいて説明する。
この両開きスクリーン装置は、本発明を防虫網戸に適用した例を示すもので、この網戸１は、上下の横枠２ａ，２ｂ並びに一対の収納ケースとしても機能する縦枠２ｃ，２ｃとからなる網戸枠（スクリーン枠）２を備え、この網戸枠２に、縦方向に形成された多数の平行で等間隔な折曲部において交互に逆方向に折り曲げることによりアコーディオン式に伸縮自在とした一対のネット（スクリーン）３Ａ，３Ｂを、左右に両開き可能に取り付けている。すなわち、上記一対のネット３Ａ，３Ｂの基端部は、それらを個別に収納可能にした縦枠２ｃ，２ｃ内に固定され、該ネット３Ａ，３Ｂの先端部には、上下横枠２ａ，２ｂに沿って移動する開閉操作用の可動框４Ａ，４Ｂがそれぞれ取り付けられている。
【０００９】
なお、上記網戸枠２は、床面上に横枠２ｂによる段差をなくしてバリヤフリーを実現するために、下部の横枠２ｂを省略することができ、あるいは、下部の横枠２ｂが屈曲して縦枠２ｃ，２ｃ内に出入りし、それによって可動框４Ａ，４Ｂの移動に伴って縦枠から出没するものであってもよい。
【００１０】
上記横枠２ａ内には、左右一対の同長のガイドレール６Ａ及び６Ｂが、スポンジ等の弾性を有する介在部材２ｄを介して、ネット３Ａ，３Ｂの上端部が走行する位置に沿って一列状に配設されている。これらのガイドレール６Ａ，６Ｂは、両縦枠２ｃ，２ｃ側の端部が、該縦枠２ｃの上部を段差状に切り欠いて形成された段部２ｅと横枠２ａとの間に挿入されて保持され、また両ガイドレール６Ａ，６Ｂの端部同士が突き合わされている位置、すなわち、横枠２ａにおけるネット３Ａ，３Ｂの閉動作時における上記可動框４Ａ，４Ｂの召し合わせ位置に対応する箇所に、ストッパー７が取り付けられ、該ストッパー７により上記ガイドレール６Ａ，６Ｂが上記横枠に対して取り付けられている。
【００１１】
このストッパー７は、基本的には、上記ネット３Ａ，３Ｂの召し合わせ位置において可動框４Ａ，４Ｂを当接停止させ、該ネット３Ａ，３Ｂの閉動作時に可動框４Ａ，４Ｂが所定の召し合わせ位置を越えて移動するのを防止するためのものであるが、上述したように、ガイドレール６Ａ，６Ｂの取付け機能をも備えている。
【００１２】
具体的には、上記ストッパー７は、図１〜図３に示すように、略直方体状の胴部７ａの先端部両側にガイドレール６Ａ，６Ｂの端部を受ける一対の突片７ｂ，７ｂが水平方向に突設され、胴部７ａの先端中央部には円柱形の凸部７ｃが突設されて、該凸部７ｃ及び胴部７ａを貫通するねじ孔７ｄを通してねじ７ｅを横枠２ａに螺合することにより固定されている。ガイドレール６Ａ，６Ｂは、可動框の召し合わせ位置において上記突片７ｂ，７ｂにより横枠２ａとの間に挟持した状態で保持され、また、ストッパー７における可動框４Ａ，４Ｂの当接面は、上記突片７ｂ，７ｂの先端及び／または凸部７ｃの側面をとすることができる。
【００１３】
上記ガイドレール６Ａ，６Ｂには、その長手方向に沿って内側を拡大させたスリット状のレール部８がそれぞれ形成され、これらのレール部８によって可動框４Ａ，４Ｂをガイドするようにしているが、後述するように、ネット３Ａ，３Ｂをそれぞれガイドフック５を介してレール部８に係止させ、左右方向に案内させるようにすることもできる。
【００１４】
図１〜図３における上記ガイドレール６Ａ，６Ｂ及びストッパー７は、上部の横枠２ａに取付けたものであるが、図５に示しているように、下方の横枠２ｂ内にも、上記ガイドレール６Ａ，６Ｂと同様のガイドレール６Ｃを設けることができる。このガイドレール６Ｃは、上記ガイドレール６Ａ，６Ｂと全く同様に、一対のものの中央をストッパーによって固定することもできるが、他の構造のものとすることもできる。
また、下部の横枠２ｂを省略した場合には当然に下部のガイドレールも設けないことになるが、この場合には、可動框４Ａ，４Ｂを上部のガイドレール６Ａ，６Ｂのレール部８に摺動自在に吊下保持させる必要がある。
【００１５】
上記ネット３Ａ，３Ｂ中には、緊張状態にある複数の張紐９を水平に挿通している。この張紐９は、可動框４Ａ，４Ｂを平行移動させ、あるいは両可動框４Ａ，４Ｂを連動させるために用いることができ、更には、その張紐９の先端を可動框４Ａ，４Ｂに連結し、縦枠２ｃ内に内蔵されたスプリング（図示略す）によってそれを巻き取るようにして、可動框４Ａ，４Ｂを開方向に付勢するものとして利用できるものである。
アコーディオン式の伸縮自在のネット３Ａ，３Ｂの場合、ネット３Ａ，３Ｂの折り畳み部が風圧等の作用により展開して膨らみ易いので、スプリング等で緊張した状態の張紐９をネット３Ａ，３Ｂに挿通させておくことは、ネット３Ａ，３Ｂの膨らみを防止してその張設状態を安定化するために有効である。
【００１６】
上記ネット３Ａ，３Ｂの上下部に挿通した張紐９には、所定間隔を置いて複数のガイドフック５を係着させ、ガイドレールにおけるスリット状のレール部８にそれらのガイドフック５の基部５ａ（図５）を摺動自在に係止させ、それによって、ネット３Ａ，３Ｂの上下端をガイドレールに保持させることができる。なお、下方のガイドレール２ｂを設けないときには、ネット３Ａ，３Ｂの下端部を保持できないのは勿論である。
【００１７】
上部の横枠２ａに対する上記ガイドレール６Ａ，６Ｂの取付けに当たっては、上部の横枠２ａとの間に介在部材２ｄを介装した状態で、ガイドレール６Ａ，６Ｂの各一端を左右の縦枠２ｃの上部の段差状の段部２ｅ上に保持させ、その他端を、可動框４Ａ，４Ｂの召し合わせ位置において横枠２ａにねじ７ｅで固定するストッパー７により保持させる。その際、可動框４Ａ，４Ｂの端部をガイドレール６Ａ，６Ｂのレール部８にガイドさせ、また、そのレール部８に摺動自在に係止させたガイドフック５をネット３Ａ，３Ｂに挿通した張紐９に適宜間隔で係止させる。そのため、ガイドレール６Ａ，６Ｂは、ストッパー７を取り付けると同時に横枠２ａに取り付け、横枠２ａに対するガイドレール６Ａ，６Ｂや可動框４Ａ，４Ｂ、ネット３Ａ，３Ｂの組み付けが容易になる。
【００１８】
逆に、横枠２ａからのガイドレール６Ａ，６Ｂや可動框４Ａ，４Ｂ、ネット３Ａ，３Ｂ等の離脱は、単純に上記ストッパー７を取外せばよく、それによってガイドレール６Ａ，６Ｂ等を簡単に解体することができる。
このように、上記構成によれば、網戸枠２に対するガイドレール６Ａ，６Ｂや可動框４Ａ，４Ｂ、ネット３Ａ，３Ｂ等の着脱が容易になり、網戸の組立工数の低減化、組立性の向上が図られる。
【００１９】
上記構成を有する防虫網戸において、ネット３Ａ，３Ｂを開放する場合は、可動框４Ａ，４Ｂを開く方向に移動させると、ネット３Ａ，３Ｂが折り畳まれながら縦枠内に収納され、該ネットを張設する場合には、可動框４Ａ，４Ｂを召し合わせ位置まで移動させる。この場合、ネット３Ａ，３Ｂの召し合わせ位置にストッパー７が取り付けられているので、可動框４Ａ，４Ｂが召し合わせ位置で確実に止められ、それ以上の移動が阻止される。従って、ネット３Ａ，３Ｂが召し合わせ位置を通過することにより、折り畳み部が展開し伸びきってしまうようなことが回避される。
【００２０】
なお、ここでは、防虫に適したネット３Ａ，３Ｂを備えた防虫網戸を例にとって説明しているが、これに代えて遮光性や目隠しに適したスクリーン等を用いてもよく、その場合にも同様の効果が得られることは言うまでもない。
【００２１】
【発明の効果】
以上に詳述した本発明の両開きスクリーン装置によれば、スクリーンが所定の召し合わせ位置を越えて移動するのを防止するストッパーを取り付けたので、スクリーンの閉動作時に、スクリーンの折り畳み部を伸び切らせて、スクリーンを破損したり、スクリーンがスクリーン枠から外れてしまうといった不具合を解消することができる。また同時に、上記ストッパーによりガイドレールが横枠に対して取り付けられているため、ストッパーの取り付けによりガイドレールをも同時に取り付けることができので、施工工数が減り、取付施工を容易にすることができる。
【図面の簡単な説明】
【図１】本発明に係る両開きスクリーン装置の実施例を部分断面によって示す正面図である。
【図２】上記実施例の要部斜視図である。
【図３】上記実施例におけるストッパーの斜視図である。
【図４】上記実施例の横断面図である。
【図５】上記実施例の縦断面図である。
【符号の説明】
１    網戸
２    網戸枠
２ａ，２ｂ    横枠
２ｃ  縦枠
３Ａ，３Ｂ    ネット
４Ａ，４Ｂ    可動框
６Ａ，６Ｂ，６Ｃ  ガイドレール
７    ストッパー
【図１】
0003673209.tif 000002
【図２】
0003673209.tif 000003
【図３】
0003673209.tif 000004
【図４】
0003673209.tif 000005
【図５】
0003673209.tif 000006